(57)【要約】【課題】オムツの中に手を入れられない介護下着を提供する。【解決手段】上半身を覆う上体部１０と、下半身を覆い、股部を有する下体部２０とを備える。上体部１０と下体部２０とは、上下方向の接続部における縫い目がなく、連続して形成されている。下体部２０には、右脚の前中央部下端から股上を通り左脚の前中央部下端までを切り開く股開口部２２が設けられており、股開口部２２は、股開閉ファスナー２３により開閉可能とされている。下体部２０の下端部には、脚に締め付ける脚締め付け部２４が設けられている。【選択図】図１
0003172808.tif 000002
【実用新案登録請求の範囲】
【請求項１】
上半身を覆う上体部と、少なくとも腰から大腿部の上側１／２までの下半身を覆い、股部を有する下体部とを備え、
前記上体部と前記下体部とは、上下方向の接続部における縫い目がなく、連続して形成され、
前記下体部には、右脚の前中央部下端から股上を通り左脚の前中央部下端までを切り開く股開口部が設けられ、
前記股開口部は、股開閉ファスナーにより開閉可能とされており、
前記下体部の下端部には、脚に締め付ける脚締め付け部が設けられた
ことを特徴とする介護下着。
【請求項２】
前記股開口部には、前記股開閉ファスナーの身体側に、前記股開閉ファスナーと身体との接触を防止する股開口保護部が設けられると共に、前記股開閉ファスナーの外側に、前記股開閉ファスナーを覆う股開口被覆部が設けられ、
前記股開閉ファスナーの閉め終わり側には、前記股開口被覆部を前記下体部の対向部に対して固定する固定具が設けられた
ことを特徴とする請求項１記載の介護下着。
【請求項３】
前記上体部の前側には、襟ぐりから下方に向かい、開口を広げるための襟ぐり開閉部が設けられ、
前記襟ぐり開閉部は、襟ぐりファスナーにより、襟ぐり側を閉め始めとして開閉可能とされ、
前記襟ぐりファスナーの閉め終わり側には、前記襟ぐりファスナーのハンドルを挿入する挿入ポケットが設けられた
ことを特徴とする請求項１または請求項２記載の介護下着。
【考案の詳細な説明】
【技術分野】
【０００１】
本考案は、介護に適した介護下着に関する。
【背景技術】
【０００２】
介護が必要な人の場合、上半身と下半身とで別々の下着を着用すると、腰からオムツの中に手を入れてしまい、周りを汚してしまう場合がある。そこで、シャツとパンツとを縫い合わせ、パンツの股の部分を切り離して、面状ファスナーにより着脱可能とすることが考えられる。しかし、この場合、オムツの上からは手を入れることができないが、パンツの股下からオムツの中に手が入ってしまう。
【０００３】
また、パンツの股下から手が入らないように、シャツと五分丈のパンツとを縫い合わせ、パンツの股の部分を切り離して、ホックで着脱可能とすることも考えられる。しかし、この場合は、ホックとホックの間から、又は、パンツの裾を股下まで捲り上げて、オムツの中に手が入ってしまう。よって、オムツの中に手を入れられない介護下着が望まれていた。
【０００４】
なお、公知技術としては、例えば、シャツと長丈パンツとを縫い合わせ、長丈パンツの股下部を切り開き、ファスナーで開閉可能としたものがある（特許文献１参照）。しかしながら、特許文献１に記載の下着では、パンツの裾がゆるいので、裾を捲り上げてオムツの中に手を入れてしまうという問題を解決することができない。また、シャツとパンツとを縫い合わせているので、縫い目があり、着心地が悪く、床ずれができやすいという問題もあった。更に、股下にファスナーを設けているので、介護人が世話をし難いという問題もあった。
【先行技術文献】
【特許文献】
【０００５】
【特許文献１】実用新案登録第３０７８２８７号公報
【考案の概要】
【考案が解決しようとする課題】
【０００６】
本考案は、このような問題に基づきなされたものであり、オムツの中に手を入れられない介護下着を提供することを目的とする。
【課題を解決するための手段】
【０００７】
本考案の介護下着は、上半身を覆う上体部と、少なくとも腰から大腿部の上側１／２までの下半身を覆い、股部を有する下体部とを備え、上体部と下体部とは、上下方向の接続部における縫い目がなく、連続して形成され、下体部には、右脚の前中央部下端から股上を通り左脚の前中央部下端までを切り開く股開口部が設けられ、股開口部は、股開閉ファスナーにより開閉可能とされており、下体部の下端部には、脚に締め付ける脚締め付け部が設けられたものである。
【考案の効果】
【０００８】
本考案の介護下着によれば、上体部と下体部とを上下方向の接続部における縫い目がなく連続して形成するようにしたので、上体部と下体部との間から手を入れることを防止することができると共に、縫い目による着心地の悪さ及び床ずれを防止することができる。また、股開口部の位置を、右脚の前中央部下端から股上を通り左脚の前中央部下端までとするようにしたので、股開閉ファスナーの開閉を容易とすることができ、介護しやすくすることができる。更に、下体部の下端部に、脚締め付け部を設けるようにしたので、下端部を捲り上げて下から手を入れることを防止することができる。
【０００９】
また、股開閉ファスナーと身体との接触を防止する股開口保護部を設けるようにすれば、股開閉ファスナーを開閉する際に、肌又は体毛を挟むことを防止することができる。更に、股開閉ファスナーを覆う股開口被覆部を設け、その閉め終わり側に、股開口被覆部を下体部の対向部に対して固定する固定具を設けるようにすれば、股開閉ファスナーのハンドルをロックした状態に固定することができ、着用時に股開閉ファスナーが開いてしまったり、着用者が股開閉ファスナーを開けて、中に手を入れてしまうことを防止することができる。
【００１０】
加えて、襟ぐりから下方に向かい、開口を広げるための襟ぐり開閉部を設けるようにすれば、例えば、オムツから排泄物が漏れてしまい、介護下着が汚れてしまった場合に、襟ぐり開閉部を開けて、肩から下に脱がすことができる。更にまた、襟ぐり開閉部に、襟ぐり側を閉め始めとして襟ぐりファスナーを設け、その閉め終わり側に、襟ぐりファスナーのハンドルを挿入する挿入ポケットを設けるようにすれば、襟ぐりファスナーのハンドルをロックした状態に固定することができ、着用時に襟ぐりファスナーが開いてしまったり、着用者が襟ぐりファスナーを開けて、中に手を入れてしまうことを防止することができる。
【図面の簡単な説明】
【００１１】
【図１】本考案の一実施の形態に係る介護下着の構成を表す図である。
【図２】図１に示した襟ぐり開閉部の構成を表す断面図である。
【図３】図１に示した襟ぐり開閉部の構成を表す図である。
【図４】図１に示した股開口部の構成を表す断面図である。
【図５】図１に示した下体部の下端部の構成を表す図である。
【考案を実施するための形態】
【００１２】
以下、本考案の実施の形態について、図面を参照して詳細に説明する。
【００１３】
図１は、本考案の一実施の形態に係る介護下着１の構成を表すものである。この介護下着１は、例えば、柔らかく伸縮性のある布地により構成されており、上半身を覆う上体部１０と、下半身を覆い、股部を有する下体部２０とを備えている。上体部１０と下体部２０とは、上下方向の接続部における縫い目がなく、連続して形成されている。
【００１４】
上体部１０は、例えば、肩から腰の上までを覆う胴体部１１を有し、胴体部１１には、例えば、襟ぐり１２及び袖１３が設けられている。袖１３は、半袖、七分袖、長袖などのいずれでもよく、また、袖１３を設けずにノースリーブとしてもよい。上体部１０の前側には、例えば、襟ぐり１２から下方に向かい、開口を広げるための襟ぐり開閉部１４が設けられていることが好ましい。襟ぐり開閉部１４には、例えば、襟ぐりファスナー１５が取り付けられており、襟ぐり１２の側を閉め始めとして開閉可能とされていることが好ましい。
【００１５】
襟ぐり開閉部１４の長さは、１０ｃｍから２０ｃｍ程度が好ましく、平均的には１５ｃｍ程度が好ましい。襟ぐり１２の後側中央部から前側中央部の下がり量は、例えば、１８ｃｍから２２ｃｍ程度とすることが好ましく、平均的には２０ｃｍ程度とすることが好ましい。排泄物がオムツから漏れてしまった場合等に、襟ぐり開閉部１４を開けて、肩から下に脱がし、着替えさせることができるからである。
【００１６】
下体部２０は、少なくとも腰から大腿部の上側１／２までの下半身を覆う下体本体２１を有している。下体部２０の長さは、例えば、大腿部の上側１／２から膝まで程度とすることが好ましい。また、下体部２０は、下体本体２１の右脚の前中央部下端から股上を通り左脚の前中央部下端までを切り開く股開口部２２を有しており、股開口部２２は、股開閉ファスナー２３により開閉可能とされている。股開口部２２を右脚及び左脚の前中央部に設けるようにすれば、介護者が股開閉ファスナー２３を容易に開閉することができるので好ましい。なお、右脚及び左脚の前中央部というのは、右脚又は左脚の前中心から左に２ｃｍ離れた位置から右に２ｃｍ離れた位置までの領域である。
【００１７】
下体部２０は、また、下端部に、脚に締め付ける脚締め付け部２４を有している。下体部２０の下端部を脚に密着させて固定することにより、下端部を捲り上げて下から手を入れることを防止することができるからである。脚締め付け部２４は、例えば、ベルトや面状ファスナーなどにより体に合わせて締め付けるようにすることが好ましい。
【００１８】
図２は、襟ぐり開閉部１４の断面構造を表すものである。図２に示したように、襟ぐり開閉部１４には、例えば、襟ぐりファスナー１５の身体側に、襟ぐりファスナー１５と身体との接触を防止する襟ぐりファスナー保護部１６が設けられていることが好ましい。襟ぐりファスナー１５の外側には、例えば、襟ぐりファスナー１５を覆う襟ぐりファスナー被覆部１７が設けられていることが好ましい。襟ぐりファスナー被覆部１７は、例えば、襟ぐりファスナー１５の横方向の中心から１ｃｍ程度引き出した位置まで被覆するようにすることが好ましい。
【００１９】
図３は、襟ぐり開閉部１４を前から見た構成を表すものである。図３に示したように、襟ぐりファスナー１５の閉め終わり側、すなわち、襟ぐり開閉部１４の開閉基端側には、襟ぐりファスナー１５のハンドル１５Ａを挿入する挿入ポケット１８が設けられていることが好ましい。襟ぐりファスナー１５のハンドル１５Ａをロックした状態に固定することができ、着用時に襟ぐりファスナー１５が開いてしまったり、着用者が襟ぐりファスナー１５を開けて、中に手を入れてしまうことを防止することができるからである。
【００２０】
図４は、股開口部２２の断面構造を表すものである。股開口部２２には、例えば、襟ぐり開閉部１４と同様に、股開閉ファスナー２３の身体側に、股開閉ファスナー２３と身体との接触を防止する股開口保護部２５が設けられていることが好ましい。股開閉ファスナー２３を開閉する際に、肌又は体毛を挟むことを防止することができるからである。また、股開閉ファスナー２３の外側には、例えば、襟ぐり開閉部１４と同様に、股開閉ファスナー２３を覆う股開口被覆部２６が設けられていることが好ましい。股開口被覆部２６は、例えば、股開閉ファスナー２３の横方向の中心から１ｃｍ程度引き出した位置まで被覆するようにすることが好ましい。
【００２１】
図５は、下体部２０の下端部の構成を表すものである。図５に示したように、股開閉ファスナー２３の閉め終わり側には、股開口被覆部２６を下体部２０の対向部に対して固定するホックなどの固定具２７が設けられていることが好ましい。股開閉ファスナー２３のハンドル２３Ａをロックした状態に固定することができ、着用時に股開閉ファスナー２３が開いてしまったり、着用者が股開閉ファスナー２３を開けて、中に手を入れてしまうことを防止することができるからである。固定具２７は、例えば、股開閉ファスナー２３の閉め終わり側において、股開口被覆部２６の幅を部分的に広く、例えば幅を２．５ｃｍ程度にして、その幅方向の端部に設けることが好ましい。
【００２２】
この介護下着１では、介護に際し、介護者が股開口部２２を開けてオムツを交換する。排泄物がオムツから漏れて介護下着１が汚れてしまった場合には、襟ぐり開閉部１４を開けて、肩から下に脱がし、着替えさせる。また、着用時には、下体部２０の下端部に脚締め付け部２４が設けられているので、着用者が下端部を捲り上げて下から介護下着１の中に手を入れることが防止される。更に、襟ぐりファスナー１５及び股開閉ファスナー２３がロックされているので、ファスナーが自然に開いたり、着用者が開けてしまうことが防止される。
【００２３】
このように本実施の形態の介護下着１によれば、上体部１０と下体部２０とを上下方向の接続部における縫い目がなく連続して形成するようにしたので、上体部１０と下体部２０との間から手を入れることを防止することができると共に、縫い目による着心地の悪さ及び床ずれを防止することができる。また、股開口部２２の位置を、右脚の前中央部下端から股上を通り左脚の前中央部下端までとするようにしたので、股開閉ファスナー２３の開閉を容易とすることができ、介護しやすくすることができる。更に、下体部２０の下端部に、脚締め付け部２４を設けるようにしたので、下端部を捲り上げて下から手を入れることを防止することができる。
【００２４】
また、股開閉ファスナー２３と身体との接触を防止する股開口保護部２５を設けるようにすれば、股開閉ファスナー２３を開閉する際に、肌又は体毛を挟むことを防止することができる。更に、股開閉ファスナー２３を覆う股開口被覆部２６を設け、その閉め終わり側に、股開口被覆部２６を下体部２０の対向部に対して固定する固定具２７を設けるようにすれば、股開閉ファスナー２３のハンドル２３Ａをロックした状態に固定することができ、着用時に股開閉ファスナー２３が開いてしまったり、着用者が股開閉ファスナー２３を開けて、中に手を入れてしまうことを防止することができる。
【００２５】
加えて、襟ぐり１２から下方に向かい、開口を広げるための襟ぐり開閉部１４を設けるようにすれば、例えば、オムツから排泄物が漏れてしまい、介護下着１が汚れてしまった場合に、襟ぐり開閉部１４を開けて、肩から下に脱がすことができる。更にまた、襟ぐり開閉部１４に、襟ぐり１２の側を閉め始めとして襟ぐりファスナー１５を設け、その閉め終わり側に、襟ぐりファスナー１５のハンドル１５Ａを挿入する挿入ポケット１８を設けるようにすれば、襟ぐりファスナー１５のハンドル１５Ａをロックした状態に固定することができ、着用時に襟ぐりファスナー１５が開いてしまったり、着用者が襟ぐりファスナー１５を開けて、中に手を入れてしまうことを防止することができる。
【００２６】
以上、実施の形態を挙げて本考案を説明したが、本考案は上記実施の形態に限定されるものではなく、種々変形可能である。例えば、図２では、襟ぐりファスナー保護部１６及び襟ぐりファスナー被覆部１７を襟ぐりファスナー１５の同一側に設けるようにしたが、襟ぐりファスナー１５の両側に別々に設けるようにしてもよい。股開閉ファスナー保護部２５及び股開閉ファスナー被覆部２６についても、同様に、股開閉ファスナー２３の同一側に共に設けてもよいが、両側に別々に設けるようにしてもよい。
【産業上の利用可能性】
【００２７】
介護が必要な人の下着として用いることができる。
【符号の説明】
【００２８】
１…介護下着、１０…上体部、１１…胴体部、１２…襟ぐり、１３…袖、１４…襟ぐり開閉部、１５…襟ぐりファスナー、１５Ａ…ハンドル、１６…襟ぐりファスナー保護部、１７…襟ぐりファスナー被覆部、１８…挿入ポケット、２０…下体部、２１…下体本体、２２…股開口部、２３…股開閉ファスナー、２３Ａ…ハンドル、２４…脚締め付け部、２５…股開口保護部、２６…股開口被覆部、２７…固定具
【図１】
0003172808.tif 000003
【図２】
0003172808.tif 000004
【図３】
0003172808.tif 000005
【図４】
0003172808.tif 000006
【図５】
0003172808.tif 000007